(57)【特許請求の範囲】
【請求項１】
案内レールおよび給電側コネクタを備える画像処理本体と、
前記案内レールで移動を案内され該案内レールに沿って移動することにより前記画像処理本体に対して着脱する給紙装置と、
該給紙装置に備わり該給紙装置が前記案内レールに沿う移動により前記画像処理本体に対し着脱するとき前記給電側コネクタに着脱する受電側コネクタと、
給電電源と前記給電側コネクタの間に常開スイッチを介挿したリレーと、
前記給電側コネクタ及び受電側コネクタに備えられ、前記給電電源より前記給電側コネクタ及び前記受電側コネクタを介して折り返して前記リレーの、前記常開スイッチを閉駆動するコイルに、前記給電電源より直接に通電する電路を形成するための接続導体と、を備える画像処理装置。
【請求項２】
案内レールおよび給電側コネクタを備える画像処理本体と、
前記案内レールで移動を案内され該案内レールに沿って移動することにより前記画像処理本体に対して着脱する給紙装置と、
該給紙装置に備わり該給紙装置が前記案内レールに沿う移動により前記画像処理本体に対し着脱するとき前記給電側コネクタに着脱する受電側コネクタと、
前記受電側コネクタと前記給紙装置の負荷の間に常開スイッチを介挿したリレーと、
給電電源より前記給電側コネクタ及び受電側コネクタを介して給電されて、前記リレーの、前記常開スイッチを閉駆動するコイルに、前記給電電源より直接に通電する受電側の電路と、を備える画像処理装置。
【請求項３】
前記リレーの前記常開スイッチに並列に、抵抗を有する通電路を接続した、請求項１または請求項２に記載の画像処理装置。
【請求項４】
前記リレーの、常開スイッチを閉駆動するコイルに、前記給電電源に接続されてからの該コイルの通電電流値の上昇を遅延する回路を接続した、請求項１，請求項２または請求項３に記載の画像処理装置。
【請求項５】
前記画像処理本体は、原稿スキャナおよびプリンタを含む、複写機である、請求項１乃至４のいずれか１つに記載の画像処理装置。
【請求項６】
前記画像処理本体は更に、画像データを出力画像データに変換して前記プリンタに与える画像データ処理装置、および、ホストが与える印刷データを画像データに展開して前記画像データ処理装置に与えるプリンタコントローラを含む、複合機能複写機である、請求項５に記載の画像処理装置。
【発明の詳細な説明】
【０００１】
【発明の属する技術分野】
本発明は、画像処理本体にある案内レールで移動を案内され案内レールに沿い移動することにより画像処理本体に対して着脱する給紙装置を備える画像処理装置に関する。
【０００２】
【従来技術】
装置本体と、それに組付けるユニット間において、電源または信号回路を接続，切り離しを行う必要がありプラグ・イン接続のラック／パネルコネクタを用いる場合、負荷側に、大きな容量（コンデンサ負荷）があると、セット（接続）時に大きな突入電流が流れ、コネクタの端子を溶着しついには破壊に至ってしまう。
【０００３】
特開平６−１５１０１８号公報には、給電側コネクタと受電側コネクタとの組合せを、それらを結合する時最初に接触するジャック／ピン対と、その後で接触するジャック／ピン対とを有するものとし、前者のジャック／ピン対の受電側ピンに突入電流を抑制する抵抗を介して受電負荷を接続し、後で接触するジャック／ピン対の受電側ピンに直接に該受電負荷を接続したコネクタ回路が開示されている。
【０００４】
特開平６−２２４５７３号公報には、上記抵抗の代わりに可動磁性体と電気コイルとを組み合わせたインダクタンス素子を用いた活線挿抜回路が開示されている。
【０００５】
【発明が解決しようとする課題】
前記特開平６−１５１０１８号公報に提示のコネクタ回路では、抵抗を接続したジャック／ピン対が接触不良になると、突入電流が発生する。特開平６−２２４５７３号公報に提示の活線挿抜回路では、可動磁性体と電気コイルとを組み合わせた構造が複雑になる。
【０００６】
本発明は、活線状態でのコネクタ接続があっても、突入電流によるコネクタ導体の溶損を回避することを第１の目的とし、ジャック／ピン対に先行／後行接触のための長短差を付けなくても突入電流による溶損を回避できるようにすることを第２の目的とし、コネクタが部分的に接触不良を生じる時でも突入電流による溶損の防止を確実にすることを第３の目的とする。
【０００７】
【課題を解決するための手段】
（１）案内レールおよび給電側コネクタ(Fa)を備える画像処理本体と、
前記案内レールで移動を案内され該案内レールに沿って移動することにより前記画像処理本体に対して着脱する給紙装置(13)と、
該給紙装置に備わり該給紙装置が前記案内レールに沿う移動により前記画像処理本体に対し着脱するとき前記給電側コネクタに着脱する受電側コネクタ(Ma)と、
給電電源(14〜23,1a,2a)と前記給電側コネクタの間に常開スイッチ(4a)を介挿したリレーと、
前記給電側コネクタ及び受電側コネクタに備えられ、前記給電電源より前記給電側コネクタ及び前記受電側コネクタを介して折り返して前記リレーの、前記常開スイッチを閉駆動するコイルに、前記給電電源より直接に通電する電路を形成するための接続導体(7a,9a,11a)と、を備える画像処理装置。
【０００８】
なお、理解を容易にするためにカッコ内には、図面に示し後述する実施例の、対応要素の符号を、参考までに付記した。以下も同様である。
【０００９】
これによれば、給電側コネクタ(Fa)に受電側コネクタ(Ma)を結合すると、接続導体(7a,9a,11a)を通してリレーのスイッチ閉駆動コイルに電流が流れて、リレーの常開スイッチ(4a)が閉じ、このスイッチ(4a)，給電側コネクタ(Fa)および受電側コネクタ(Ma)を通して、受電側の負荷に電流が流れる。給電側コネクタ(Fa)に受電側コネクタ(Ma)が結合し始めて、リレーのスイッチ閉駆動コイルに電流が流れ始めてから、リレーの常開スイッチ(4a)が閉じるまでには、数十msecの遅れがあり、リレーの常開スイッチ(4a)が閉じるときには給電側コネクタ(Fa)と受電側コネクタ(Ma)のジャック／ピン対の接触が十分であり、従って接触抵抗が小さく、常開スイッチ(4a)が閉じるときの突入電流によってジャック／ピン対が溶損する可能性が低減する。ジャック／ピン対に先行／後行接触のための長短差を付ける必要はない。
【００１０】
仮に給電側コネクタ(Fa)と受電側コネクタ(Ma)との間の接続導体(7a,9a,11a)の接触が不良であると、リレーの常開スイッチ(4a)が閉じないので、接触が不充分なジャック／ピン対に突入電流が流れることがなく、コネクタが部分的に接触不良を生じる時でも突入電流による溶損を防止する信頼性が高い。
【００１１】
【発明の実施の形態】
（２））案内レールおよび給電側コネクタ(Fa)を備える画像処理本体と、
前記案内レールで移動を案内され該案内レールに沿って移動することにより前記画像処理本体に対して着脱する給紙装置(13)と、
該給紙装置に備わり該給紙装置が前記案内レールに沿う移動により前記画像処理本体に対し着脱するとき前記給電側コネクタに着脱する受電側コネクタ(Ma)と、
前記受電側コネクタと前記給紙装置の負荷の間に常開スイッチ(4a)を介挿したリレーと、
給電電源より前記給電側コネクタ及び受電側コネクタを介して給電されて、前記リレーの、前記常開スイッチを閉駆動するコイルに、前記給電電源より直接に通電する受電側の電路と、を備える画像処理装置。
【００１２】
これによれば、給電側コネクタ(Fa)に受電側コネクタ(Ma)を結合すると、受電側にあるリレーのスイッチ閉駆動コイルに電流が流れて、リレーの常開スイッチ(4a)が閉じ、このスイッチ(4a)，給電側コネクタ(Fa)および受電側コネクタ(Ma)を通して、受電側の負荷に電流が流れる。給電側コネクタ(Fa)に受電側コネクタ(Ma)が結合し始めて、リレーのスイッチ閉駆動コイルに電流が流れ始めてから、リレーの常開スイッチ(4a)が閉じるまでには、数十msecの遅れがあり、リレーの常開スイッチ(4a)が閉じるときには給電側コネクタ(Fa)と受電側コネクタ(Ma)のジャック／ピン対の接触が十分であり、従って接触抵抗が小さく、常開スイッチ(4a)が閉じるときの突入電流によってジャック／ピン対が溶損する可能性が低減する。ジャック／ピン対に先行／後行接触のための長短差を付ける必要はない。
【００１３】
仮に給電側コネクタ(Fa)と受電側コネクタ(Ma)との間の接続導体の接触が不良であると、リレーのスイッチ閉駆動コイルに通電がない限りリレーの常開スイッチ(4a)が閉じないので、接触が不充分なジャック／ピン対に突入電流が流れることがなく、コネクタが部分的に接触不良を生じる時でも突入電流による溶損を防止する信頼性が高い。
【００１４】
（３）前記リレーの前記常開スイッチ(4a)に並列に、抵抗(3a)を有する通電路を接続した、上記（１）または（２）に記載の画像処理装置(図３，図１１)。
【００１５】
これによれば、給電側コネクタ(Fa)に受電側コネクタ(Ma)が結合し始めて、リレーのスイッチ閉駆動コイルに電流が流れ始めてから、リレーの常開スイッチ(4a)が閉じるまでには、数十msecの遅れがあり、この間は、抵抗(3a)を通して負荷が給電され、容量（Ｃ）が次第に充電される。これによりリレーの常開スイッチ(4a)が閉じるときにはそれを通して流れる充電電流（突入電流）は小さく、しかも給電側コネクタ(Fa)と受電側コネクタ(Ma)のジャック／ピン対の接触が十分であり、従って接触抵抗が小さく、常開スイッチ(4a)が閉じるときの突入電流によってジャック／ピン対が溶損する可能性がなくなる。
【００１６】
（４）前記リレーの、常開スイッチを閉駆動するコイルに、前記給電電源に接続されてからの該コイルの通電電流値の上昇を遅延する回路(15a〜17a)を接続した、上記（１），（２）または（３）に記載の画像処理装置(図１２)。
【００１７】
これによれば、給電側コネクタ(Fa)と受電側コネクタ(Ma)の結合の始まりから、リレーの常開スイッチ(4a)が閉じるまでの遅延時間が長くなり、その間に給電側コネクタ(Fa)と受電側コネクタ(Ma)の接触が確実になっている可能性が高い。
【００１８】
（５）前記画像処理本体(PTR)は、原稿スキャナおよびプリンタを含む、複写機である、上記（１）乃至（４）のいずれか１つに記載の画像処理装置。
【００１９】
（６）前記画像処理本体(PTR)は更に、画像データを出力画像データに変換して前記プリンタに与える画像データ装置(IPU70)、および、ホスト(Pca〜PCc)が与える印刷データを画像データに展開して前記画像データ処理装置(IPU70)に与えるプリンタコントローラ(30)を含む、複合機能複写機(図１，図５)である、上記（５）に記載の画像処理装置。
【００２０】
本発明の他の目的および特徴は図面を参照した以下の実施例の説明により明らかになろう。
【００２１】
【実施例】
−第１実施例−
図１に本発明の一実施例の外観を示す。この実施例は、デジタル複写機に、外部アクセスコントロ−ラを組込んだ画像形成システムである。デジタル複写機は同図に示すように、原稿スキャナを装備したレ−ザプリンタＰＴＲ（カラー複写機）と、原稿スキャナに接続する自動原稿送り装置６と、面ディスプレイを備える操作ボ−ドＯＰＢと、ステープラ及びシフトトレイ付きのフィニッシャ１と、両面反転ユニットＵＳＲと、標準給紙トレイＳＴ１，ＳＴ２および拡張給紙トレイ１１と、大容量給紙トレイ１３から構成されている。レ−ザプリンタＰＴＲには、その上にある紙搬送ユニット１０の排紙トレイ面に画像形成したシ−ト（記録紙）を排出する第１排紙ル−トＰＲ１と、紙搬送ユニット１０を通してフィニッシャ１に排出する第２排紙ル−トＰＲ２があり、いずれのル−トに排紙するかは、動作モ−ド対応で選択設定できる。標準装備の動作モ−ドには、複写モ−ド，パソコン出力モ−ド，パソコン入力モ−ド，ファクシミリ送信モ−ドおよびファクシミリ受信モ−ドがある。プリンタＰＴＲは、パ−ソナルコンピュ−タ（以下ＰＣと表現）等のホストＰＣａ，ＰＣｂ，ＰＣｃから、ＬＡＮ又はパラレルＩ／Ｆを通じて、画像情報である印刷デ−タが与えられるとそれをプリントアウト（画像出力）できる。
【００２２】
図２に示すように、レ−ザプリンタ（カラー複写機）ＰＴＲに、数々のオプション装置１〜１３を選択的に組付けて、機能向上を図るシステム構成になっている。フィニシャ１は、複数コピーを仕分けたり、ステープラーでとじたりするオプション装置であり、２は外部トレイ、３はキーカード、４はキーカウンター、５は圧板、６はＡＤＦ、７は上トレイ、８はサプライボックス、９は複数コピーを仕分けたり、ステープラーでとじたり、又、パンチ穴を開けたりできるフィニシャ、１０は中継ユニット、１１は給紙テーブル、１２は消耗品収納テーブル、１３は、大量給紙トレイである。フィニシャ１，ＡＤＦ６，フィニシャ９および給紙テーブル１１は、レ−ザプリンタＰＴＲに組付けてから、手差し受電側コネクタでレ−ザプリンタＰＴＲの給電側コネクタに接続するものである。
【００２３】
しかし、大量給紙トレイ１３は、レ−ザプリンタＰＴＲの機枠に付設するレールで、図１において左右方向に移動可に案内され、図１に示すようにレ−ザプリンタＰＴＲに結合した位置では、大量給紙トレイ１３の受電側コネクタがレ−ザプリンタＰＴＲの給電側コネクタと、ラック／パネルコネクタ型で結合したものであり、給紙エラーのチェックやジャム紙の取り出しのときに、大量給紙トレイ１３は、図１に示す位置から右方に動かされ、このとき大量給紙トレイ１３の受電側コネクタが自動的にレ−ザプリンタＰＴＲの給電側コネクタからはずれる。大量給紙トレイ１３を左方に動かすと、大量給紙トレイ１３の受電側コネクタが自動的にレ−ザプリンタＰＴＲの給電側コネクタに結合する。
【００２４】
キーカード３及びキーカウンタ４は、レ−ザプリンタＰＴＲの受け入れ口に差し込むようになっており、これらにも、大量給紙トレイ１３のものと同様な受電側コネクタが装備されており、それらを受け口に差し込むことにより、レ−ザプリンタＰＴＲの給電側コネクタと、ラック／パネルコネクタ型で結合する。
【００２５】
図３に、プリンタＰＴＲに装備している電源回路及び給電側コネクタの数個Ｆａ〜Ｆｄならびにオプション装置（１，３，４，６，９，１３）に備わっている受電側コネクタの数個Ｍａ〜Ｍｄを示す。
【００２６】
レ−ザプリンタＰＴＲの元電源スイッチが閉じられると、プリンタＰＴＲに付いている標準装備に給電するための電源回路１５に商用交流が印加され、同時に、抵抗１６を通して全波整流ブリッジ１７にも商用交流が印加され、整流ブリッジ１７が整流した直流（脈流）がコンデンサ１８で平滑化されてトランス１９の一次巻線に直流電圧が加わる。このときコンデンサ１８に充電電流（突入電流）が流れるが、交流が抵抗１６を通して給電されるので電流値が抑制され、充電電流（突入電流）は低い。コンデンサ１８の電圧がある程度上昇すると、高周波ドライバ２１が発振を始めて、トランス１９の一次巻線にチヨッピング通電が始まり、これにより、トランス１９の二次側の４組のＡＣ／ＤＣコンバータ（１組が、全波整流ブリッジ１ａ＋コンデンサ２ａ）に、給電用の直流電圧があらわれ、４個の給電側コネクタＦａ〜Ｆｄに加わる。すなわち、給電側コネクタＦａ〜Ｆｄが活線状態になる。これと同時に、電流制御器２３にも直流電圧が加わり、直流電圧が閾値に達した時に、比較的に高レベルの電流をリレー２２の電気コイルに通電し、リレー接片が閉じ、これが抵抗１６を短絡する。リレー接片が閉じるに十分な時間が経過した後は、電流制御器２３は、リレー２２の電気コイルの電流値を、ホールドレベルに下げる。抵抗１６がリレー接片で短絡されたことにより、コンデンサ１８の給電ルートのエネルギロスはなくなり、定常の電力出力が可能になる。以上に説明した元電源スイッチ１４から給電側コネクタＦａ〜Ｆｄまでの電気回路要素が、プリンタＰＴＲに装備されている。
【００２７】
給電側コネクタＦａ〜Ｆｄのそれぞれに結合しうる受電側コネクタＭａ〜Ｍｄが、オプション装置１，３，４，１３に装備したものである。給電側コネクタＦａ〜Ｆｄは互いに同一構造、受電側コネクタＭａ〜Ｍｄも互いに同一構造である。そこで、以下においては、給電側コネクタＦａと受電側コネクタＭaについてのみ説明する。この実施例では、前記給電電源１４〜２３,１ａ，２ａと給電側コネクタＦａの間に、リレーの常開スイッチ４ａを介挿しこの常開スイッチ４ａに並列に、抵抗３ａを有する通電路を接続し、かつ、前記給電電源より給電側コネクタＦａ及び受電側コネクタＭａを介して折り返して前記リレーのスイッチ閉駆動コイルに通電する電路を形成するための接続導体７ａ，９ａ，１１ａを、給電側コネクタＦａ及び受電側コネクタＭａに備えている。
【００２８】
給電側コネクタＦａに受電側コネクタＭａを結合すると、接続導体７ａ，９ａ，１１ａを通してリレーのスイッチ閉駆動コイルに電流が流れて、リレーの常開スイッチ４ａが閉じ、このスイッチ４ａ，給電側コネクタＦａおよび受電側コネクタＭａならびに受電側の導体１２ａ，１３ａを通して、受電側の図示しない負荷に電流が流れる。１０ａは給電側の信号導体、１４ａは受電側の信号導体であり、コネクタの結合により、これらの導体間も、電気接続となる。
【００２９】
コネクタ結合をするとき、給電側コネクタＦａに受電側コネクタＭａが結合し始めて、リレーのスイッチ閉駆動コイルに電流が流れ始めてから、リレーの常開スイッチ４ａが閉じるまでには、数十msecの遅れがあり、この間は、抵抗３ａを通して図示しない受電側負荷が給電され、容量（Ｃ）が次第に充電される。これによりリレーの常開スイッチ４ａが閉じるときにはそれを通して流れる充電電流（突入電流）は小さく、しかも給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性がなくなる。給電側のジャックは全て同一の高さ（長さ）、それらに差しこまれる受電側のピンも全て同一の高さ（長さ）である。
【００３０】
仮に給電側コネクタＦａと受電側コネクタＭａとの間の接続導体９ａ，１１ａ，７ａの接触が不良であると、リレーの常開スイッチ４ａが閉じないので、接触が不充分なジャック／ピン対間（６ａ／１２ａ）にスイッチ４ａを通して突入電流が流れることがなく、コネクタが部分的に接触不良を生じる時でも突入電流による溶損が防止されるという信頼性が高い。
【００３１】
図４に、図１に示すプリンタＰＴＲの機構概要を示す。この実施例のプリンタＰＴＲのレ−ザ走査器２０３には、Ｂｋ（黒），Ｙ（イエロ−），Ｍ（マゼンタ），Ｃ（シア）の各色の成分に分解された画像データが、各色単位で与えられる。各色単位が１画像形成単位である。
【００３２】
単色記録のときには、上記４色の内の一色の画像デ−タがレ−ザ走査器２０３に与えられる。感光体２０１は定速度で回転駆動され、メインチャ−ジャ２０２にて荷電され帯電位はクエンチングランプＱＬで適正電位に調整される。そして帯電面に、レ−ザ走査器２０３が画像デ−タで変調したレ−ザを走査投射する。これにより、画像デ−タに対応する静電潜像が感光体２０１に形成される。この静電潜像が、回転位置決め方式の現像装置２０４の、画像形成指定色（例えばＢｋ）に対応する色の現像トナ−を有する現像器（Ｂｋ）にて現像されて顕像すなわちトナ−像となる。トナ−像は、転写チャ−ジャ２０５にて転写ベルト２０６に転写され、そして、転写分離チャ−ジャ２０８にて、レジストロ−ラ２０７で送り込まれる転写紙に転写され、トナ−像を担持する転写紙は、搬送ベルト２０９で定着器２１０に送り込まれる。定着器２１０は加熱，加圧により転写紙上のトナ−像を転写紙に固定する。定着を終えた転写紙は、ソ−タ２１１に排出される。トナ−像の転写を終えた感光体面はクリ−ニング装置２１２でクリ−ニングされる。転写ベルト２０６の転写を終えた面はクリ−ニングブレ−ド２１３で拭われる。２１４は、Ｐセンサと呼ばれる、感光体面上のトナ−濃度を検出する反射型の光センサ、２１５は転写ベルト２０６の基準位置を示すマ−クを検出する反射型の光センサ、２１６は定着ロ−ラの温度を検出する温度センサである。
【００３３】
２色以上のカラ−重ね記録（最も代表的なものはフルカラ−記録）のときには、上述の、感光体２０１上へのトナ−像の形成と転写ベルト２０６への転写が、各色分繰返えされて転写ベルト２０６上において各色トナ−像が重ねて転写され、所要色分の重ね転写を終えてから、転写紙に転写される。
【００３４】
図５に、図１に示す画像処理装置の電気システムの概要を示す。メインコントローラ５０には、プリンタコントローラ３０の他に、オペレータに対する表示とオペレータからの機能設定入力制御を行う操作部５８、スキャナ６２および原稿自動送り装置（ＡＤＦ）６３、原稿画像を画像メモリに書き込む制御および画像メモリからの作像を行う制御等を行う画像処理ユニット（ＩＰＵ）７０、ならびに、プリンタＰＴＲの制御部９０他が接続されている。各装置とメインコントローラ５０は、必要に応じて機械の状態，動作指令のやりとりを行なう。
【００３５】
パラレルおよびシリアルデータバス，アドレスバスならびに制御信号バスの全体でなる共通バスＰｂに、プリンタコントローラ３０，メインコントローラ５０およびバス制御６１が接続され、しかも、追加接続、除去可能に、ＩＰＵ７０，プリンタ９０（ＰＴＲ），フアクシミリユニット（ＦＣＵ）１１０，フロッピーディスク装置（ＦＤＤ）１２１，コンパクトディスク装置（ＣＤＤ）１２２およびハードデイスク装置（ＨＤＤ）１２３が、それぞれコネクタを介して共通バスＰｂに接続されている。これらＩＰＵ７０以下の画像処理，出力又は画像メモリと同様又は同等な装置を更に、共通バスＰｂに接続されている空きのコネクタに、付加接続することも可能である。バスＰｂの、各装置を接続するポート（コネクタ）には、個別にＩＤが付与され、どの装置をバスＰｂに接続するか（バスを介しての装置間の接続）は、メインコントローラ５０が、バス制御６１を介してコントロールする。
【００３６】
プリンタコントローラ３０は、外部（ホストＰＣａ〜ＰＣｃ）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ及びパラレルＩ／Ｆを通じて受信し動作するために、ＬＡＮコントロール６４とパラレルコントロール６５がある。また、これらならびにプリンタコントーラ３０を介して、機内で保持又は生成する、印刷データ，原稿読取りデータ，これらを出力用に処理した出力画像データ、および、それらを圧縮した圧縮データ、をホストＰＣａ〜ＰＣｃに転送することができる。
【００３７】
原稿スキャナ６２は、原稿の表面に対するランプ照射の反射光をミラー及びレンズにより受光素子に集光する。受光素子（本実施例ではＣＣＤ）は、スキャナ６２内のセンサー・ボード・ユニット（以下単にＳＢＵと称す）にあり、ＣＣＤに於いて電気信号に変換された画像信号は、ＳＢＵ上でデジタル信号すなわち読取った画像デ−タに変換された後、メインコントローラ５０のＩ／Ｏポート（５７：図７）及び共通バスＰｂを介して、ＳＢＵから、画像処理装置（ＩＰＵ）７０に出力される。スキャナ６２に装着された自動原稿供給装置ＡＤＦは、スキャナ６２に対して原稿を給，排する。
【００３８】
メインコントローラ５０がバス制御６１を用いて、プリンタコントローラ３０あるいはスキャナ６２から、共通バスＰｂを介した、各装置７０，９０，１１０，１２１，１２２，１２３への印刷データ，原稿読取りデータあるいはこれらを出力用に処理した出力画像データ、もしくは、それらを圧縮した圧縮データの転送に関するバス接続制御、逆に、各装置７０，９０，１１０，１２１，１２２，１２３から、共通バスＰｂを介した、プリンタコントローラ３０への同上データの転送に関するバス接続制御、および、該各装置７０，９０，１１０，１２１，１２２，１２３間のデータ転送に関するバス接続制御、を行う。
【００３９】
図６の（ａ）には、プリンタコントローラ３０の構成を示し、図６の（ｂ）には、コントローラ３０内の画像メモリアクセス制御（ＩＭＡＣ）３５の構成を示す。図７にはメインコントローラ５０の構成を示し、図８にはＩＰＵ７０の構成を、また図９には、プリンタＰＴＲの制御部９０の構成を示す。以下においては、プリンタＰＴＲの制御部９０を単にプリンタ９０ということもある。
【００４０】
スキャナ６２と、プリンタ９０内の作像プロセスコントローラ９３（図９）とは、プリンタコントローラ３０のシステムコントローラ３１およびＩＰＵ７０と、共通バスＰｂを介して相互に通信を行う。ＩＰＵ７０は、その内部に於いてパラレルバスとシリアルバスとのデータインターフェースのためのデータフォーマット変換を行う。スキャナ６２の読取り画像デ−タは、ＩＰＵ７０に転送され、ＩＰＵ７０が、光学系及びディジタル信号への量子化に伴う信号劣化（スキャナ系の信号劣化：スキャナ特性による読取り画像デ−タの歪）を補正し、該画像デ−タをプリンタコントロ−ラ３０の、増設仕様のメモリＭＥＭ３４，ＦＤＤ１２１のフロッピデイスク，ＣＤＤ１２２のコンパクトディスクまたはＨＤＤ１２３のハードディスクに書込む。又は、ＩＰＵ７０の内部のプリンタ出力のための処理系で出力画像データに変換してプリンタ９０に与える。
【００４１】
すなわち、ＩＰＵ７０には、読取り画像デ−タをメモリＭＥＭ３４他の記億媒体に蓄積して再利用するジョブと、メモリＭＥＭ３４他の記億媒体に蓄積しないで、プリンタ９０に作像出力するジョブとがある。メモリＭＥＭ３４に蓄積する一例としては、１枚の原稿を複数枚複写する場合、スキャナ６２を１回だけ動作させ、読取り画像デ−タをメモリＭＥＭ３４に蓄積し、蓄積データを複数回読み出す使い方がある。メモリＭＥＭ３４を使わない例としては、１枚の原稿を１枚だけ複写する場合、読取り画像デ−タをそのままプリンタ出力用に処理すれば良いので、メモリＭＥＭ３４への書込みを行う必要はない。読取り画像デ−タの比較的に長期間の保存を意図するときには，ＦＤＤ１２１のフロッピデイスク，ＣＤＤ１２２の光ディスクまたはＨＤＤ１２３のハードディスクに書込む。ＰＣａ〜ＰＣｂから与えられる印刷データ（テキストデータすなわち文章データ／イメージデータすなわちピクセルデータ）も同様である。スラッシュ／は、「又は」を意味する。
【００４２】
まず、メモリＭＥＭ３４を使わない場合、ＩＰＵ７０に於いてＣＣＤによる輝度データを面積階調に変換するための画質処理７９（図８）を行う。画質処理後の面積階調に変化された信号はプリンタ９０に与えられ、そこの画像メモリ９２を介して書込み制御９４に与えられる。書込み制御９４は、ドット配置に関する後処理及びドットを再現するためのパルス制御を、レ−ザプリンタＰＴＲの作像ユニット３に対して行い、転写紙上に再生画像を形成する。
【００４３】
メモリＭＥＭ３４に蓄積し、それからの読み出し時に付加的な処理、例えば画像方向の回転，画像の合成等を行う場合は、ＩＰＵ７０からバスＰｂを経由して画像メモリアクセス制御ＩＭＡＣ３５に送られる。ここではシステムコントローラ３１の制御に基づき画像データとメモリモジュ−ルＭＥＭ３４のアクセス制御，外部パソコンＰＣａ〜ＰＣｃのプリント用データの展開（文字コ−ド／キャラクタビット変換），メモリ有効活用のための画像データの圧縮／伸張を行う。ＩＭＡＣ３５へ送られたデータは、データ圧縮後ＭＥＭ３４へ蓄積し、蓄積データを必要に応じて読み出す。読み出しデータは伸張し、本来の画像データに戻しＩＭＡＣ３５からバスＰｂ経由でＩＰＵ７０へ戻される。ＩＰＵ７０は、画質処理を行い、プリンタ９０に出力する。すなわち、転写紙上に顕像（トナ−像）を形成する。
【００４４】
画像データの流れに於いて、メインコントローラ５０の、共通バスＰｂでのバス制御６１により、デジタル複写機の複合機能を実現する。複合機能の１つであるＦＡＸ送信機能は、スキャナ６２の読取り画像データをＩＰＵ７０にて画像処理を実施し、共通バスＰｂを経由してＦＡＸ制御ユニットＦＣＵ１１０へ転送する。
【００４５】
各ジョブ、例えばコピー機能，ＦＡＸ送受信機能およびプリンタ出力機能において、スキャナ６２，ＩＰＵ７０，プリンタ９０及びＦＣＵ１１０への共通バスＰｂ使用権の割り振りを、システムコントローラ３１およびメインコントローラ５０が、バス制御６１を介して制御する。
【００４６】
ＩＭＡＣ３５の機能構成の概略を示す図６の（ｂ）を参照する。パラレルデータＩ／Ｆ３６に於いて、共通バスＰｂに対する画像データの入，出力を管理し、ＭＥＭ３４への画像データの格納／読み出しと、主に外部のＰＣａ，ＰＣｂから入力されるコードデータ（文章データ）の画像データ（イメージデータ）への展開を制御する。ＰＣａ，ＰＣｂから入力されたコードデータは、ラインバッファ３７に格納する。すなわち、ローカル領域でのデータの格納を行い、ラインバッファ３７に格納したコードデータは、システムコントローラＩ／Ｆ３９を介して入力されたシステムコントローラ３１からの展開処理命令に基づき、ビデオ制御３８に於いて画像データに展開する。展開された画像データもしくはパラレルデータＩ／Ｆ３６を介してパラレルバスから入力された画像データは、ＭＥＭ３４に格納される。この場合、データ変換部４０に於いて格納対象となる画像データを選択し、データ圧縮部４１においてメモリ使用効率を上げるためにデータ圧縮を行い、メモリアクセス制御部４２にてＭＥＭ３４のアドレスを管理しながらＭＥＭ３４に画像データを格納する。ＭＥＭ３４に格納された画像データの読み出しは、メモリアクセス制御部４２にて読み出し先アドレスを制御し、読み出された画像データをデータ伸張部４３にて伸張する。伸張された画像データをパラレルバスへ転送する場合、パラレルデータＩ／Ｆ３６を介してデータ転送を行う。
【００４７】
図７を参照する。メインコントローラ５０は、画像データの流れを制御し、システムコントローラ３１はシステム全体を制御し、各リソースの起動を管理する。このデジタル複合機能複写機の機能選択は、Ｉ／Ｏポート５７に接続された操作ボ−ド５８またはホストＰＣａ〜ＰＣｃにて選択入力し、コピー機能，ＦＡＸ機能，プリントアウト機能の選択と処理内容の設定，ならびにＦＤＤ１２１，ＣＤＤ１２２およびＨＤＤ１２３に対する、印刷データ，原稿読取りデータ，これらを出力用に処理した出力画像データ、および、それらを圧縮した圧縮データ、の入，出力（書込み／読出し）等の処理内容を設定する。Ｉ／Ｏポート５７に、スキャナ６２およびＡＤＦ６３が接続されている。Ｉ／Ｏポート５７は、共通バスＰｂに接続されている。
【００４８】
メインコントローラ５０は、プログラムやデータを格納するＲＯＭ５４，ＲＡＭ５６，フォントデ−タやプログラムを外部から供給するＩＣカ−ド５２，操作部５８（パネル装置５９〜６０）からのモ−ド指示の内容，設定内容，画像出力装置の使用管理用の情報ならびに画像出力装置の使用実績およびその他の、長期間の保存が望まれる設定情報および管理情報を記憶しておく不揮発性記憶装置であるＮＶＲＡＭ５３、および、ＲＯＭ５４およびＩＣカ−ド５２のプログラム，操作部３０からのモ−ド指示およびプリンタコントローラ３０（ホストＰＣａ〜ＰＣｃ）からのコマンドに応じて、コントロ−ラ５０全体およびバス制御６１を制御し、入力装置３０，６２ならびに出力装置７０，９０，１１０，１２１，１２２，１２３、の装置間のバス接続を制御するＣＰＵ５１、を含む。
【００４９】
図８に、図５に示すＩＰＵ７０の処理機能の概要を示す。メインコントローラ５０は、バス制御６１及び共通バスＰｂを介して、スキャナ６２からの読取り画像データをＩＰＵ７０に入力する。ＩＰＵ７０においては、スキャナ６２の読取り画像デ−タは、入力Ｉ／Ｆ（インタ−フェイス）７１からスキャナ画像処理７２へ伝達される。読取りによる画像情報の劣化の補正を主目的にして、スキャナ画像処理７２は、シェーディング補正，スキャナγ補正およびＭＴＦ補正等を行う。補正処理ではないが、拡大／縮小の変倍処理も行う。
【００５０】
画像データ入力制御７２の入力データは、共通バスＰｂでの転送効率を高めるためにデータ圧縮部７４に於いて、データ圧縮を行う。圧縮した画像デ−タは、パラレルデータＩ／Ｆ７６を介してバスＰｂへ送出される。一旦スキャナ画像処理７２を施した画像データをメモリＭＥＭ３４又は増設のメモリに蓄積しておけば、画質処理７９で施す処理を変える事によって種々の再生画像を確認することができる。例えば再生画像の濃度を振ってみたり、ディザマトリクスの線数を変更してみたりする事で、再生画像の雰囲気を変更できる。この時処理を変更する度に画像をスキャナ６２で読み込み直す必要はなく、ＭＥＭ３４から格納画像を読み出せば同一データに対し、何度でも異なる処理を実施できる。
【００５１】
転写紙への出力のときには、画質処理７９に於いて面積階調処理を行う。画質処理後のデータは出力Ｉ／Ｆ８０を介して、プリンタ９０へ出力される。面積階調処理は、濃度変換，ディザ処理，誤差拡散処理等が有り、階調情報の面積近似を主な処理とする。
【００５２】
バスＰｂからパラレルデータＩ／Ｆ７６を介して入力される画像データは、バス転送のために圧縮されており、データ伸張部７７で伸張される。伸張された画像データは、画像データ出力制御７８によって画質処理７９に渡される。ＩＰＵ７０は、パラレルデータとシリアルデータの変換機能を併せ持つ。システムコントローラ３１は、パラレルバスにデータを転送し、メインコントローラ５０は、シリアルバスにデータを転送する。コントローラ３１と、スキャナ６２およびメインコントローラ５０との通信のために、デ−タ変換部７５およびシリアルデ−タＩ／Ｆ８３で、パラレル／シリアルデータ変換を行う。シリアルデータＩ／Ｆ８２は、スキャナ画像処理７２および画質処理７９用であり、これらにもシリアルデ−タ転送する。
【００５３】
図９に、図５に示すプリンタ９０の電気系のシステム構成の概要を示す。コントローラ（メイン制御基板）９３には、ＣＰＵ，ＲＯＭ，ＲＡＭがあり、又、シリアル通信ポート，入出力ポートが、それに接続されるものに応じて用意されている。単色記録，フルカラ−記録等の画像形成モード及び画像形成シーケンス等の管理は、コントローラ９３のＣＰＵにより制御される。又、コントローラ９３には、両面制御ユニット９８，バンク制御ユニット１００，ソータ制御ユニット９９がそれぞれシリアル通信により接続されている。
【００５４】
モータ制御基板１０１は、本体紙搬送部のモータ，リボルバ駆動モータ，感光体と中間転写ベルトを駆動するモータ及び現像モータ、現像装置４の各色現像器のトナーを補給するための補給モータの駆動を行う。
【００５５】
定着制御基板１０２は、コントローラ９３の、定着器ヒータのオン／オフ信号出力と、定着温度センサの検出温度の読込み用のＡ／Ｄ端子に接続されている。定着制御基板１０２は、定着ロ−ラの温度を設定範囲内とするためのヒ−タ通電制御を行なう。Ｐセンサ制御回路９７は、コントローラ９３の、反射型光センサ１４のＬＥＤ点灯信号出力と、感光体の光反射レベルを読込むためのＡ／Ｄ端子に接続されている。
【００５６】
図示プリンタ９０（ＰＴＲ）はデジタルレ−ザプリンタであり、画像データを画像メモリ９２に取り込み、更に画像メモリ９２から、書き込み制御ユニット９４へ、感光体１を露光するＬＤ（レ−ザダイオ−ド）の光放射変調情報として、コントローラ９３上のＣＰＵからの指示に応じて出力するようになっている。画像メモリ９２内には画像デ−タ読み書き制御回路がある。この画像メモリ９２は、複数の画像の各画像データを格納可能である。
【００５７】
図１０に、ＦＡＸ送受信部ＦＣＵ１１０の構成を示す。ＦＣＵにて公衆回線通信網ＰＮへのデータ変換を行い、ＰＮへＦＡＸデータとして送信する。ＦＡＸ受信は、ＰＮからの回線データをＦＣＵ１１０にて画像データへ変換し、共通バスＰｂを経由してＩＰＵ７０へ転送される。この場合特別な画質処理は行わず、プリンタ９０においてドット再配置及びパルス制御を行い、プリンタＰＴＲの作像ユニットに於いて転写紙上に顕像を形成する。
【００５８】
ＦＡＸ送受信部ＦＣＵ１１０は、ＦＡＸ画像処理１１２，画像メモり１１３，メモり制御部１１５，ファクシミリ制御部１１４，画像圧縮伸張１１６，モデム１１７及び網制御装置１１８からなる。この内、ＦＡＸ画像処理１１２に関し、受信画像に対する二値スムージング処理は、プリンタ９０内のエッジ平滑処理において行う。又画像メモり１１３に関しても、出力バッファ機能に関してはＩＭＡＣ３５及びＭＥＭ３４でその機能の一部をおぎなう。
【００５９】
この様に構成されたＦＡＸ送受信部ＦＣＵ１１０では、画像情報の伝送を開始するとき、ファクシミリ制御部１１４がメモリ制御部１１５に指令し、画像メモリ１１３から蓄積している画像情報を順次読み出させる。読み出された画像情報は、ＦＡＸ画像処理１１２によって元の信号に復元されるとともに、密度変換処理及び変倍処理がなされ、ファクシミリ制御部１１４に加えられる。ファクシミリ制御部１１４に加えられた画像信号は、画像圧縮伸張部１１６によって符号圧縮され、モデム１１７によって変調された後、網制御装置１１８を介して宛先へと送出される。そして、送信が完了した画像情報は、画像メモリ１１３から削除される。
【００６０】
受信時には、受信画像は一旦画像メモリ１１３に蓄積され、その時に受信画像を記録出力可能であれば、１枚分の画像の受信を完了した時点で記録出力される。又、複写動作時に発呼されて受信を開始したときは、画像メモリ１１３の使用率が所定値、例えば８０％に達するまでは画像メモリ８３に蓄積し、画像メモリ８３の使用率が８０％に達した場合には、その時に実行している書き込み動作を強制的に中断し、受信画像を画像メモリ８３から読み出し記録出力させる。このとき画像メモリ１１３から読み出した受信画像は画像メモリ１１３から削除し、画像メモリ８３の使用率が所定値、例えば１０％まで低下した時点で中断していた書き込み動作を再開させ、その書き込み動作を全て終了した時点で、残りの受信画像を記録出力させている。又、書き込み動作を中断した後に、再開できるように中断時に於ける書き込み動作のための各種パラメータを内部的に退避させ、再開時に、パラメータを内部的に復帰させる。
【００６１】
操作部５８には、液晶タッチパネル５９，テンキー，クリア／ストップキー３３，スタートキー，モードクリアキー，初期設定キ−およびテスト印刷キーがあり、液晶タッチパネル５９には、機能キーならびに部数及び画像処理装置の状態を示すメッセージが表示される。テスト印刷キーは、設定されている印刷部数に関わらずに１部だけを印刷し、印刷結果を確認するためのキーである。また、「複写」機能，「スキャナ」機能，「プリント」機能，「ファクシミリ」機能，「蓄積」機能，「編集」機能，「登録」機能およびその他の機能の選択用および実行中を表わす表示がある。初期設定キ−が操作されると、各種初期値を設定するための「初期値設定」機能ならびに「ＩＤ設定」機能および「使用実績の出力」機能、の選択メニューが表示される。
【００６２】
「コピー」機能は、原稿スキャナ６２で読みとった画像を、プリンタ９０（ＰＴＲ）で転写紙に指定された動作で複写する機能である。
【００６３】
「スキャナ」機能は、操作部５８又はホストＰＣａ〜ＰＣｃからの指示に応じて、原稿スキャナ６２で原稿の画像を読み取ってホストＰＣｃのディスプレイに表示し、もしくは、読みとった画像データを、プリンタコントローラ３０を介してホストＰＣａ〜ＰＣｃに、ＦＤＤ１２１に、ＣＤＤ１２２に、あるいは、ＨＤＤ１２３に転送して書込む機能である。
【００６４】
「プリント」機能は、ＬＡＮ及びパラレルＩ／Ｆ等で接続されたホストＰＣａ〜ＰＣｃが与えるデ−タあるいはＦＤＤ１２１，ＣＤＤ１２２又はＨＤＤ１２３の印刷データを、ホスト又は操作部５８の指示に対応して、プリンタ９０（ＰＴＲ）で画像出力（プリント出力）する機能である。
【００６５】
「ファクシミリ」機能は、原稿の画像をスキャナ６２で読んでＦＣＵ１１０に画像データを転送する機能である。また、ＬＡＮ及びパラレルＩ／Ｆ等で接続されたホストＰＣａ〜ＰＣｃが与えるデ−タを、ホストの指示に対応して、ＦＣＵ１１０に転送する機能、ならびに、ＦＤＤ１２１，ＣＤＤ１２２またはＨＤＤ１２３に記録している印刷データを、操作部５８またはホストの指示に対応して、ＦＣＵ１１０に転送する機能も含まれる。
【００６６】
「蓄積」機能は、現行ジョブ実行中（例えば装置が「複写」又は「プリント」機能での画像形成動作中）に、他ジョブの、スキャナ６２で読みとった画像やホストＰＣａ〜ＰＣｃからの画像データを、またはＨＤＤ１２３に蓄積し、先行ジョブの遂行完了後にプリント出力する機能である。
【００６７】
「編集」機能は、プリンタコントローラ３０，ＦＤＤ１２１，ＣＤＤ１２２又はＨＤＤ１２３の印刷データ，原稿読取りデータ又はこれらを出力用に処理した出力画像データ、をホストＰＣｃのディスプレイに表示して、文章編集および又はイメージ編集をして、必要（入力コマンド）に応じて、出力処理「プリント」，「ファクシミリ」または「登録」を行う機能である。
【００６８】
「登録」機能は、操作部５８またはホストの指示に対応して、ホストＰＣａ〜ＰＣｃやスキャナ６２からの印刷データ，原稿読取りデータ、もしくはこれらを出力用に処理した出力画像データ又はそれらを圧縮した圧縮データを、ＦＤＤ１２１，ＣＤＤ１２２またはＨＤＤ１２３に記録する機能である。
【００６９】
−第２実施例−
本発明の接続装置の第２実施例を図１１に示す。この第２実施例では、受電側コネクタＭａとそれを装備した図示しないオプション装置の負荷の間に、リレーの常開スイッチ４ａを介挿しそれに並列に抵抗３ａを接続し、かつ、給電電源１４〜２３，１ａ，２ａより給電側コネクタＦａ及び受電側コネクタＭａを介して給電される受電側の電路に前記リレーのスイッチ閉駆動コイルを接続した。給電側コネクタＦａに受電側コネクタＭａを結合すると、受電側にあるリレーのスイッチ閉駆動コイルに電流が流れて、リレーの常開スイッチ４ａが閉じ、このスイッチ４ａ，給電側コネクタＦａおよび受電側コネクタＭａを通して、受電側の負荷に電流が流れる。給電側コネクタＦａに受電側コネクタＭａが結合し始めて、リレーのスイッチ閉駆動コイルに電流が流れ始めてから、リレーの常開スイッチ４ａが閉じるまでには、数十msecの遅れがあり、この間は、抵抗３ａを通して図示しない受電側負荷が給電され、容量（Ｃ）が次第に充電される。これによりリレーの常開スイッチ４ａが閉じるときにはそれを通して流れる充電電流（突入電流）は小さく、しかも給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性がなくなる。給電側のジャックは全て同一の高さ（長さ）、それらに差しこまれる受電側のピンも全て同一の高さ（長さ）である。
【００７０】
仮に給電側コネクタＦａと受電側コネクタＭａとの間の接続導体９ａ，５ａの接触が不良であると、リレーの常開スイッチ４ａが閉じないので、接触が不充分なジャック／ピン対間（９ａ／５ａ）にスイッチ４ａを通して突入電流が流れることがなく、コネクタが部分的に接触不良を生じる時でも突入電流による溶損が防止されるという信頼性が高い。
【００７１】
−第３実施例−
図１２の（ａ）に、本発明の接続装置の第３実施例の主要部のみを示す。この第３実施例は、図３に示す第１実施例の抵抗３ａを省略したものに相当する。この実施例では、前記給電電源１４〜２３,１ａ，２ａと給電側コネクタＦａの間に、リレーの常開スイッチ４ａを介挿し、かつ、前記給電電源より給電側コネクタＦａ及び受電側コネクタＭａを介して折り返して前記リレーのスイッチ閉駆動コイルに通電する電路を形成するための接続導体７ａ，９ａ，１１ａを、給電側コネクタＦａ及び受電側コネクタＭａに備えている。
【００７２】
給電側コネクタＦａに受電側コネクタＭａを結合すると、接続導体７ａ，９ａ，１１ａを通してリレーのスイッチ閉駆動コイルに電流が流れて、リレーの常開スイッチ４ａが閉じ、このスイッチ４ａ，給電側コネクタＦａおよび受電側コネクタＭａならびに受電側の導体１２ａ，１３ａを通して、受電側の図示しない負荷に電流が流れる。１０ａは給電側の信号導体、１４ａは受電側の信号導体であり、コネクタの結合により、これらの導体間も、電気接続となる。
【００７３】
コネクタ結合をするとき、給電側コネクタＦａに受電側コネクタＭａが結合し始めて、リレーのスイッチ閉駆動コイルに電流が流れ始めてから、リレーの常開スイッチ４ａが閉じるまでには、数十msecの遅れがあり、リレーの常開スイッチ４ａが閉じるときには給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性が低い。給電側のジャックは全て同一の高さ（長さ）、それらに差しこまれる受電側のピンも全て同一の高さ（長さ）である。
【００７４】
仮に給電側コネクタＦａと受電側コネクタＭａとの間の接続導体９ａ，１１ａ，７ａの接触が不良であると、リレーの常開スイッチ４ａが閉じないので、接触が不充分なジャック／ピン対間（６ａ／１２ａ）に突入電流が流れることがなく、コネクタが部分的に接触不良を生じる時でも突入電流による溶損が防止されるという信頼性が高い。
【００７５】
−第４実施例−
図１２の（ｂ）に、本発明の接続装置の第４実施例の主要部のみを示す。この第４実施例は、図１２の（ａ）に示す第３実施例のリレースイッチ閉駆動コイルの通電始端に、抵抗１５ａ，ダイオード１６ａおよびコンデンサ１７ａでなる遅延回路を接続したものである。この実施例では、コネクタ結合をするとき、給電側コネクタＦａに受電側コネクタＭａが結合し始めると、抵抗１５ａおよびダイオード１６ａを通してコンデンサ１７ａの充電が始まり、それからある遅延時間後に、コンデンサ１７ａの充電電圧の上昇により、リレーのスイッチ閉駆動コイルに、リレーの常開スイッチ４ａを閉駆動するに十分な電流が、流れ始める。それからリレーの常開スイッチ４ａが閉じるまでには、更に遅れがあり、リレーの常開スイッチ４ａが閉じるまでの遅延時間が、第３実施例よりも更に長く、スイッチ４ａが閉じるときには給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性が低い。
【００７６】
−第５実施例−
図１２の（ｃ）に、本発明の接続装置の第５実施例の主要部のみを示す。この第５実施例は、図１１に示す第２実施例の抵抗３ａを省略したものに相当する。この実施例では、受電側コネクタＭａとそれを装備した図示しないオプション装置の負荷の間に、リレーの常開スイッチ４ａを介挿し、かつ、給電電源１４〜２３，１ａ，２ａより給電側コネクタＦａ及び受電側コネクタＭａを介して給電される受電側の電路に前記リレーのスイッチ閉駆動コイルを接続した。給電側コネクタＦａに受電側コネクタＭａを結合すると、受電側にあるリレーのスイッチ閉駆動コイルに電流が流れて、リレーの常開スイッチ４ａが閉じ、このスイッチ４ａ，給電側コネクタＦａおよび受電側コネクタＭａを通して、受電側の負荷に電流が流れる。給電側コネクタＦａに受電側コネクタＭａが結合し始めて、リレーのスイッチ閉駆動コイルに電流が流れ始めてから、リレーの常開スイッチ４ａが閉じるまでには、数十msecの遅れがあり、リレーの常開スイッチ４ａが閉じるときには給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性が低い。給電側のジャックは全て同一の高さ（長さ）、それらに差しこまれる受電側のピンも全て同一の高さ（長さ）である。
【００７７】
仮に給電側コネクタＦａと受電側コネクタＭａとの間の接続導体９ａ，５ａの接触が不良であると、リレーの常開スイッチ４ａが閉じないので、接触が不充分なジャック／ピン対間（９ａ／５ａ）に突入電流が流れることがなく、コネクタが部分的に接触不良を生じる時でも突入電流による溶損が防止されるという信頼性が高い。
【００７８】
−第６実施例−
図１２の（ｄ）に、本発明の接続装置の第６実施例の主要部のみを示す。この第６実施例は、図１２の（ｃ）に示す第５実施例のリレースイッチ閉駆動コイルの通電始端に、抵抗１５ａ，ダイオード１６ａおよびコンデンサ１７ａでなる遅延回路を接続したものである。この実施例では、コネクタ結合をするとき、給電側コネクタＦａに受電側コネクタＭａが結合し始めると、抵抗１５ａおよびダイオード１６ａを通してコンデンサ１７ａの充電が始まり、それからある遅延時間後に、コンデンサ１７ａの充電電圧の上昇により、リレーのスイッチ閉駆動コイルに、リレーの常開スイッチ４ａを閉駆動するに十分な電流が、流れ始める。それからリレーの常開スイッチ４ａが閉じるまでには、更に遅れがあり、リレーの常開スイッチ４ａが閉じるまでの遅延時間が、第５実施例よりも更に長く、スイッチ４ａが閉じるときには給電側コネクタＦａと受電側コネクタＭａのジャック／ピン対の接触が十分であり、従って接触抵抗が小さく、常開スイッチ４ａが閉じるときの突入電流によってジャック／ピン対が溶損する可能性が低い。
【００７９】
なお、第４実施例および第６実施例で用いた抵抗１５ａ，ダイオード１６ａ及びコンデンサ１６ａでなる遅延回路は、前述の第１実施例および第２実施例にも、同様に装備するのもよい。
【図面の簡単な説明】
【図１】  本発明の第１実施例の接続装置を装備した画像処理装置の外観を示す斜視図である。
【図２】  図１に示すプリンタＰＴＲに組みつけられるオプション装置１〜１３をプリンタＰＴＲとは分離して示す正面図である。
【図３】  本発明の第１実施例の接続装置の構成を示す電気回路図である。
【図４】  図１に示すカラープリンタＰＴＲの画像形成機構の概要を示す拡大横断面図である。
【図５】  図１に示すカラープリンタＰＴＲに組付けられた画像しょりシステムを示すブロック図である。
【図６】  （ａ）は図５に示すプリンタコントローラ３０の構成の概要を示すブロック図、（ｂ）は（ａ）に示す画像メモリアクセス制御ＩＭＡＣ３５の構成を示すブロック図である。
【図７】  図５に示すメインコントローラ５０の構成を示すブロック図である。
【図８】  図５に示す画像処理装置ＩＰＵ７０の構成を示すブロック図である。
【図９】  図５に示すプリンタ９０の構成を示すブロック図である。
【図１０】  図５に示すファクシミリユニット１１０の構成を示すブロック図である。
【図１１】  本発明の第２実施例の接続装置の構成を示す電気回路図である。
【図１２】  本発明の第３〜６実施例の構成を示す電気回路図である。
【符号の説明】
ＰＣａ〜ＰＣｃ：パソコン
ＰＴＲ：カラープリンタ
ＰＢＸ：構内交換器    １：フィニッシャ
２：外部トレイ        ３：キーカード
４：キーカウンター    ５：圧板
６：ＡＤＦ            ７：上トレイ
８：サプライボックス  ９：フィニッシャ
１０：中継ユニット    １１：給紙テーブル
１２：消耗品収納テーブル
１３：大量給紙トレイ
１４：元電源スイッチ  １５：標準装備用の電源回路
１６：限流抵抗        １７：全波整流ブリッジ
１８：平滑コンデンサ  １９：トランス
２０：スイッチング素子
２１：高周波ドライバ
２２：リレー          ２３：電流制御器
１ａ：全波整流ブリッジ
２ａ：平滑コンデンサ
３ａ：限流抵抗        ４ａ：リレーの常開スイッチ
５ａ〜１３ａ：導体（電力系）
１０ａ，１４ａ：導体（制御信号系）
Ｆａ：給電側コネクタ  Ｍａ：受電側コネクタ
２０１：感光体        ２０２：メインチャージャ
２０３：レーザ走査器  ２０４：現像装置
２０５：転写チャージャ
２０６：転写ベルト
２０７：レジストローラ
２０８：転写分離チャージャ
２０９：搬送ベルト    ２１０：定着器
２１１：ソータ        ２１２：クリーニング装置
２１３：クリーニングブレード
２１４：光センサ      ２１５：光センサ
２１６：温度センサ    Ｐｂ：共通バス
【図１】
0003813049.tif 000002
【図２】
0003813049.tif 000003
【図３】
0003813049.tif 000004
【図４】
0003813049.tif 000005
【図５】
0003813049.tif 000006
【図６】
0003813049.tif 000007
【図７】
0003813049.tif 000008
【図８】
0003813049.tif 000009
【図９】
0003813049.tif 000010
【図１０】
0003813049.tif 000011
【図１１】
0003813049.tif 000012
【図１２】
0003813049.tif 000013